(57)【要約】      （修正有）【課題】調剤した軟膏を詰めやすく、且つ、使用者が市販のチューブ詰め軟膏と同様の利便性で使用できる軟膏用チューブを提供する。【解決手段】軟膏チューブは、チューブ本体と蓋部からなる調剤した軟膏を詰めるための軟膏チューブであり、チューブ本体１は、収納部と、収納部の一端に設けられた本体開口と、本体開口の周囲に設けられた本体連結部とを備える。蓋部は、主蓋と副蓋とからなり、主蓋１１は、主蓋の内壁に設けられた本体連結部と着脱可能に固定するための被本体連結部と、主蓋の内壁よりも小さい口径の主蓋開口と、主蓋連結部を備え、副蓋１５は、主蓋連結部と着脱可能に固定するための被主蓋連結部を備える。本体開口の径は、本体開口側の収納部の内径と略同等であり、チューブ本体は、外部より押圧力が働かない状態で形状を維持可能な素材で形成されている。【選択図】図３
0003211478.tif 000002
【実用新案登録請求の範囲】
【請求項１】
チューブ本体と蓋部からなる調剤した軟膏を詰めるための軟膏チューブであり、
上記チューブ本体は、
収納部と、
当該収納部の一端に設けられた本体開口と、
当該本体開口の周囲に設けられた本体連結部と、
を備えたチューブ本体と
を備え、
上記蓋部は、主蓋と副蓋とからなり、
上記主蓋は、
当該主蓋の内壁に設けられた上記本体連結部と着脱可能に固定するための被本体連結部と、
上記主蓋の内壁よりも小さい口径の主蓋開口と、
主蓋連結部と、
を備え、
上記副蓋は、
上記主蓋連結部と着脱可能に固定するための被主蓋連結部と、
を備え、
上記本体開口の径は、上記本体開口側の上記収納部の内径と略同等であり、
上記チューブ本体は、外部より押圧力が働かいない状態で形状を維持可能な素材で形成されている
ことを特徴とする軟膏チューブ。
【請求項２】
上記収納部の内径は、上記本体開口側で略最大となる
ことを特徴とする請求項１に記載の軟膏チューブ。
【請求項３】
上記本体連結部と上記被本体連結部とは、ねじ止め、または篏合により固定される
ことを特徴とする請求項１または２に記載の軟膏チューブ。
【請求項４】
上記主蓋連結部と被主蓋連結部とは、ねじ止め、または篏合により固定される
ことを特徴とする請求項１から３のいずれかに記載の軟膏チューブ。
【考案の詳細な説明】
【技術分野】
【０００１】
本考案は、軟膏を詰めるための軟膏チューブに関するものである。特に、調剤した軟膏を詰めることに適した軟膏チューブである。
【背景技術】
【０００２】
軟膏は、脂肪やろう、ワセリン等の基剤に医薬品を混合した半固形状の外用薬である。外傷や皮膚疾患等に広く用いられている。市販の軟膏は、使いやすさの観点からチューブに詰めて販売されるのが一般的である。
【０００３】
一方、調剤薬局等においては、チューブに入った軟膏を小分けしたり、複数の軟膏を混合したりする場合、チューブではなく、軟膏ツボに詰めて顧客に提供される。軟膏を詰める作業は、空気の混入を防ぐ等の熟練した技術を必要とする難しい作業であるため、開口の大きい軟膏ツボが使用される。
【０００４】
軟膏の調剤を容易にするために、軟膏類の押し出し装置が提案されている（例えば、特許文献１）。
【先行技術文献】
【特許文献】
【０００５】
【特許文献１】特許第４９１５５４３号
【考案の概要】
【考案が解決しようとする課題】
【０００６】
特許文献１に記載されている発明は、調剤を容易にするための発明であるものの、軟膏の使用者の利便を勘案したものではなかった。使用者の観点からは、軟膏を使用したい量だけ簡単に押し出すことができるチューブ詰めに利便性があり、チューブ詰めを要望する使用者も多い。
しかし、上述したように、軟膏を詰める作業は難易度が高く、開口が小さいチューブに調剤した軟膏を詰めることは困難であった。
【０００７】
本考案は上記の課題を解決するためになされたものであり、調剤した軟膏を詰めやすく、且つ、使用者が市販のチューブ詰め軟膏と同様の利便性で使用できる軟膏用チューブを提供するものである。
【課題を解決するための手段】
【０００８】
本考案の請求項１に係る軟膏チューブは、チューブ本体と蓋部からなる調剤した軟膏を詰めるための軟膏チューブであり、上記チューブ本体は、収納部と、当該収納部の一端に設けられた本体開口と、当該本体開口の周囲に設けられた本体連結部とを備え、上記蓋部は、主蓋と副蓋からなり、上記主蓋は、当該主蓋の内壁に設けられた上記本体連結部と着脱可能に固定するための被本体連結部と、上記主蓋の内壁よりも小さい口径の主蓋開口と、主蓋連結部とを備え、副蓋は、上記主蓋連結部と着脱可能に固定するための被主蓋連結部とを備え、上記本体開口の径は、上記本体開口側の上記収納部の径と略同等であり、上記チューブ本体は、外部より押圧力が働かいない状態で形状を維持可能な素材で形成されていることを特徴とする。
【０００９】
本考案の請求項２に係る軟膏チューブは、上記収納部の内径が、上記本体開口側で略最大となることを特徴とする。
【００１０】
本考案の請求項３に係る軟膏チューブは、上記本体連結部と被本体連結部とが、ねじ止め、または篏合により固定されることを特徴とする。
【００１１】
本考案の請求項４に係る軟膏チューブは、上記主蓋連結部と被主蓋連結部とが、ねじ止め、または篏合により固定されることを特徴とする。
【考案の効果】
【００１２】
本考案に係る軟膏チューブは、上記のように構成されているので、以下に示す優れた特長を有している。
第一に、チューブ本体の開口が大きいため、調剤した軟膏をチューブ本体に入れやすい。そして、チューブ本体の収納部が最大容積の状態を維持するため、できるだけ多くの量の軟膏を詰めることが可能となる。
【００１３】
さらに、軟膏を詰めていく際に、チューブ本体の下部を机等にコンコンと軽く打ちつけた振動が、チューブ本体全体に伝わりやすく、したがって、軟膏はチューブ本体内部の下方へ落下しやすく、また、軟膏に混入した空気が抜けやすい。これにより、さらに多くの量の軟膏を詰めることが可能となる。
【００１４】
第二に、軟膏の使用者がチューブ本体の収納部を押すことで、手を汚すことなく、主蓋開口より軟膏を小出しできる。したがって、必要な量だけ、無駄なく取り出し使用できる。
【００１５】
第三に、使い捨てではなく、繰り返して使用することもできる。チューブ本体の開口が大きいため、収納部を容易に洗浄可能であり、また、チューブ本体の形状も崩れることがないので、再利用に適している。
【００１６】
第四に、収納部の内径を本体開口側で略最大とした場合には、本体開口を上にして、チューブ本体を手で持ちやすい。これにより、軟膏を詰める作業がさらに容易になる。例えば、左でチューブ本体を持った際に、強く握らなくても、チューブ本体が下に落ちることはない。チューブ本体を強く握りすぎると、詰め込んだ軟膏を押し出してしまうことになるが、そういった失敗をすることなく、軟膏を詰めることが可能である。
【図面の簡単な説明】
【００１７】
【図１】本考案に係る軟膏チューブの本体の（ａ）前面図と（ｂ）側面図である。
【図２】本考案に係る軟膏チューブの蓋部の前面図である。
【図３】本考案に係る軟膏チューブ全体の前面図である。
【図４】本考案に係る軟膏チューブ全体の前面図であり、副蓋を取り外した状態を示す図である。
【図５】本考案に係る異なる構成の軟膏チューブの本体の（ａ）前面図と（ｂ）側面図である。
【図６】本考案に係る異なる構成の軟膏チューブの蓋部の前面図であり、（ａ）使用状態と（ｂ）保管状態である。
【図７】本考案に係るさらに異なる構成の軟膏チューブの蓋部の前面図であり、（ａ）使用状態と（ｂ）保管状態である。
【考案を実施するための形態】
【００１８】
実施の形態．
本考案に係る軟膏チューブの構成およびその使用方法等に関して、以下において、図面を用いて説明する。なお、以下の説明は本考案に関する良好な一例を開示するものであり、本考案が当該実施の形態に限定されるものではない。
【００１９】
＜構成＞
図を用いて、本考案に係る軟膏チューブの構成について説明する。
図１は、軟膏チューブの本体の（ａ）前面図と（ｂ）側面図である。また、図２は、軟膏用チューブの蓋部の前面図である。
【００２０】
軟膏チューブは、チューブ本体１と蓋部１０からなる調剤した軟膏を詰めるための軟膏チューブである。
チューブ本体１は、収納部２と、この収納部２の一端に設けられた本体開口４と、この本体開口４の周囲に設けられた本体連結部３とを備えている。
蓋部１０は、主蓋１１と副蓋１５からなり、主蓋１１は、主蓋１１の内壁に設けられた本体連結部３と着脱可能に固定するための被本体連結部１２と、主蓋１１の内壁よりも小さい口径の主蓋開口１４と、主蓋開口１４の周囲に設けられた主蓋連結部１３とを備え、副蓋１５は、副蓋１５の内壁に設けられた主蓋連結部１３と着脱可能に固定するための被主蓋連結部１６とを備えている。
そして、本体開口４の径は、開口４側の収納部２の径と略同等であり、チューブ本体１は、外部より押圧力が働かない状態で形状を維持可能な素材で形成されていることを特徴とする。
【００２１】
このように、チューブ本体１の特徴のひとつは、本体開口４の開口径を大きくしたことであり、収納部２の径と略同等の大きさである。略同等の大きさの大きさとは、少なくとも開口４側の収納部２の径の７０％以上である。本体開口４の径は、開口４側の収納部２の径と略同等と大きくしているのは、調剤した軟膏を詰めやすくするためである。
【００２２】
チューブ本体１のもうひとつの特徴は、外部より押圧力が働かいない状態で初期形状を維持可能な素材で形成されているである。この特徴も、調剤した軟膏を詰めやすくするための工夫である。
チューブ本体１は樹脂の成型等により作製されるが、柔軟性を持ちつつも、外力が働かない状態では、図１で示す初期形状を維持し、押圧力が加わり窪んだ状態になっても、押圧力を解放後は初期形状に復帰する。
【００２３】
なお、収納部２の内径は、上記本体開口４側で略最大となることが望ましい。こうすることで、本体開口４の開口径をできるだけ大きくすることができる。
【００２４】
また、上記本体連結部３と被本体連結部１２とは、着脱可能に固定することができる構造を有しており、例えば、ねじ止め、または篏合等により固定される。なお、図においては、ねじ止めにより固定できる構造を一例として示している。
主蓋連結部１３と上記被主蓋連結部１６についても同様であり、着脱可能に固定することができる構造を有しており、例えば、ねじ止め、または篏合等により固定される。
【００２５】
＜使用方法＞
次に図を用いて、使用方法について説明する。
まず、調剤した軟膏を詰める際には、図１に示したチューブ本体１を、本体開口４を上にして左手に持ち、右手でへら等を用いて、本体開口４から軟膏を詰めていく。チューブ本体１の下部を机等にコンコンと軽く打ちつけることで、軟膏はチューブ本体１内部の下方へ落下し、また、軟膏に混入した空気が抜ける。本体開口４から軟膏をさらに詰め、チューブ本体１の下部を机等にコンコンと軽く打ちつける。この作業を繰り返すことで、チューブ本体１内部の下方から順に、隙間なく軟膏を詰めることができる。
【００２６】
軟膏を詰める作業は、熟練が必要な難易度が高い作業である。しかし、チューブ本体１を用いることで、比較的容易に軟膏を詰めることができる。これは、本体開口４が大きいことと、チューブ本体１が外部より押圧力が働かいない状態で初期形状を維持可能な素材で形成されていることに起因する。チューブ本体１が外部より押圧力が働かいない状態で初期形状を維持可能な素材で形成されていることで、収納部２が最大の容積の状態に維持されるため、軟膏を最大限多く詰めることができる。また、詰める際に、チューブ本体１の下部を机等にコンコンと軽く打ちつけた振動が、チューブ本体１全体に伝わりやすく、したがって、軟膏はチューブ本体１内部の下方へ落下しやすく、また、軟膏に混入した空気が抜けやすい。
【００２７】
軟膏を詰める作業が完了後、チューブ本体１に主蓋１１を、主蓋１１に副蓋１５とを取り付ける。この状態が図３に示す状態であり、この状態で使用者に提供する。
使用者は、図４に示すように副蓋１５を取り、チューブ本体１の収納部４を押すことで、小さな径の主蓋開口１４から、軟膏を必要量だけ取り出し、使用することができる。
【００２８】
＜その他の構成＞
本考案に係る軟膏チューブの構成や使用方法について説明してきたが、この構成は、良好な一例を示すにすぎず、その他の構成であっても良い。
例えば、図１に示したチューブ本体１は、図５に示すチューブ本体１ａのように、収納部２の外表面に折り曲げ用凹部５を設けても良い。この折り曲げ用凹部５を設けることで、この付近からチューブ本体１を折り曲げやすくなり、それによって、軟膏を押し出しやすくできる。軟膏が最後まで溜まりやすい箇所は、収納部２の本体開口４側の内表面近くであり、その溜まりやすい箇所の付近に凹部を設けて折り曲げやすくすることで、最後までチューブ内に残った軟膏も押し出しやすくできる。
【００２９】
また、図２に示した蓋部１０の代わりに、図６に示す蓋部１０ａを用いても良い。図２に示した蓋部１０と異なる点は、主蓋と副蓋との固定方法である。図６に示す蓋部１０ａの主蓋１１ａは、上部外周近傍に設けられた主蓋連結部１３ａを有している。副蓋１５ａは、回転連結部１７において、主蓋１１ａの上部外周近傍と回転可能に連結されている。そして、被主蓋連結部１６ａを有し、主蓋連結部１３ａと嵌め合いにより、着脱可能に固定できる。
あるいは、図６に示した蓋部１０ａの代わりに、図７に示す蓋部１０ｂを用いても良い。図６に示した蓋部１０ａと異なる点は、主蓋と副蓋との固定を行うための嵌め合いの箇所である。図６に示す蓋部１０ａの主蓋１１ａは、上部外周近傍に設けられた主蓋連結部１３ａを有している。副蓋１５ｂは被主蓋連結部１６ｂを有し、主蓋連結部１３ｂと嵌め合いにより、着脱可能に固定できる。
このような図６や図７の構成において主蓋と副蓋とを着脱可能に固定できるようにしても良い。この構成においては、副蓋の径を大きくできるので、副蓋を下にし、倒立状態でチューブを置くことができるという利点もある。
【００３０】
＜本考案の特長＞
本考案に係る軟膏チューブは、上記のように構成されているので、以下に示す優れた特長を有している。
第一に、チューブ本体の開口が大きいため、調剤した軟膏をチューブ本体に入れやすい。そして、チューブ本体の収納部が最大容積の状態を維持するため、できるだけ多くの量の軟膏を詰めることが可能となる。
【００３１】
さらに、軟膏を詰めていく際に、チューブ本体の下部を机等にコンコンと軽く打ちつけた振動が、チューブ本体全体に伝わりやすく、したがって、軟膏はチューブ本体内部の下方へ落下しやすく、また、軟膏に混入した空気が抜けやすい。これにより、さらに多くの量の軟膏を詰めることが可能となる。
【００３２】
第二に、軟膏の使用者がチューブ本体の収納部を押すことで、手を汚すことなく、主蓋開口より軟膏を小出しできる。したがって、必要な量だけ、無駄なく取り出し使用できる。また、蓋部をすべて取り外せば、大きな開口から残った軟膏を取り出して使用することもできる。
【００３３】
第三に、使い捨てではなく、繰り返して使用することもできる。チューブ本体の開口が大きいため、収納部を容易に洗浄可能であり、また、チューブ本体の形状も崩れることがないので、再利用に適している。
【００３４】
第四に、収納部の内径を本体開口側で略最大とした場合には、本体開口を上にして、チューブ本体を手で持ちやすい。これにより、軟膏を詰める作業がさらに容易になる。例えば、左でチューブ本体を持った際に、強く握らなくても、チューブ本体が下に落ちることはない。チューブ本体を強く握りすぎると、詰め込んだ軟膏を押し出してしまうことになるが、そういった失敗をすることなく、軟膏を詰めることが可能である。
【符号の説明】
【００３５】
１、１ａ  チューブ本体
２  収納部
３  本体連結部
４  本体開口
５  折り曲げ用凹部
１０、１０ａ、１０ｂ  蓋部
１１、１１ａ、１１ｂ  主蓋
１２  被本体連結部
１３、１３ａ、１３ｂ  主蓋連結部
１４  主蓋開口
１５、１５ａ  副蓋
１６、１６ａ、１６ｂ  被主蓋連結部
１７  回転連結部
【図１】
0003211478.tif 000003
【図２】
0003211478.tif 000004
【図３】
0003211478.tif 000005
【図４】
0003211478.tif 000006
【図５】
0003211478.tif 000007
【図６】
0003211478.tif 000008
【図７】
0003211478.tif 000009